(57)【特許請求の範囲】
【請求項１】
水又は水と少なくとも１つの水溶性有機溶媒の混合物である水性キャリアー媒体と、顔料と、アクリレートバインダーと、エチレングリコールフェニルエーテル、プロピレングリコールフェニルエーテル、カプロラクトン、及びそれらの組合せから成る群から選択される減速軽減成分とを含み、前記減速軽減成分の濃度が０．０５〜３重量％の範囲である、減速及び耐水性が改善されたインクジェットインク組成物。
【請求項２】
減速軽減成分として界面活性剤をさらに含み、前記界面活性剤が、ノニオン性、カチオン性又はアニオン性の界面活性剤である、請求項１に記載のインクジェットインク組成物。
【請求項３】
減速軽減成分として界面活性剤をさらに含み、且つ前記界面活性剤が、オレイルトリエトキシモノジホスフェート、ポリ（オキシ−１，２−エタンジイル）,α−ウンデシル−ω−ヒドロキシ−,(9CI)、及びそれらの組合せから成る群から選択される、請求項１に記載のインクジェットインク組成物。
【請求項４】
アクリレートバインダー含有の顔料系インクジェットインクにおける減速を改善するためのインク添加剤組成物であって、
水又は水と少なくとも１つの水溶性有機溶媒の混合物である水性キャリアー媒体と、
インク全体の０．０５〜３重量％を構成する減速軽減成分と、
を含み、前記減速軽減成分が、エチレングリコールフェニルエーテル、プロピレングリコールフェニルエーテル、カプロラクトン、及びそれらの組合せから成る群から選択される、インク添加剤組成物。
【請求項５】
減速軽減成分として界面活性剤をさらに含み、前記界面活性剤が、ノニオン性、カチオン性又はアニオン性の界面活性剤である、請求項４に記載のインク添加剤組成物。
【請求項６】
減速軽減成分として界面活性剤をさらに含み、且つ前記界面活性剤が、オレイルトリエトキシモノジホスフェート、ポリ（オキシ−１，２−エタンジイル）,α−ウンデシル−ω−ヒドロキシ−,(9CI)、及びそれらの組合せから成る群から選択される、請求項４に記載のインク添加剤組成物。
【請求項７】
さらに着色剤を含む、請求項４〜６の何れか１項に記載のインク添加剤組成物。
【請求項８】
アクリレートバインダー含有の顔料系インクジェットインクにおける減速を軽減させる方法であって、
アクリレートバインダー含有の顔料系インクジェットインクを準備すること、
前記ポリマー含有の顔料系インクジェットインクに減速軽減成分を添加すること、
を含み、前記減速軽減成分が、エチレングリコールフェニルエーテル、プロピレングリコールフェニルエーテル、カプロラクトン、及びそれらの組合せから成る群から選択され、前記インクジェットインクにおける前記減速軽減成分の濃度が０．０５〜３重量％の範囲である、方法。
【請求項９】
さらに、前記アクリレートバインダー含有の顔料系インクジェットインクに減速軽減成分として界面活性剤をさらに添加することを含み、前記界面活性剤が、ノニオン性、カチオン性又はアニオン性の界面活性剤である、請求項８に記載の方法。
【請求項１０】
さらに、前記ポリマー含有の顔料系インクジェットインクに減速軽減成分として界面活性剤をさらに添加することを含み、且つ前記界面活性剤が、オレイルトリエトキシモノジホスフェート、ポリ（オキシ−１，２−エタンジイル）,α−ウンデシル−ω−ヒドロキシ−,(9CI)、及びそれらの組合せから成る群から選択される、請求項８に記載の方法。
【発明の詳細な説明】
【０００１】
【発明の属する技術分野】
本発明は、ポリマー含有のインクジェットインクの減速を改善するためのインク添加剤に関する。より詳細には、本発明は、減速を軽減するインク添加剤に関する。
【０００２】
【従来の技術】
インクジェット印刷は、紙、透明フィルム又は織物などの印刷媒体上にインク液滴を堆積させるノンインパクト印刷プロセスである。特に、インクジェット印刷は、マイクロプロセッサによって生成される電気信号に応答して印刷媒体上に微細なインク液滴を噴出する操作を伴う。
【０００３】
一般に、カラーインクジェット印刷用として好機能なインクセットは、次の諸特性を有するべきである。良好な外皮形成耐性、十分な安定度、適当な粘度、適当な表面張力、十分なカラー対カラーブリードの低減、迅速な乾燥時間、ビヒクルとのマイナスの反応が無いこと、使用者の安全性、十分な耐久性（例えば、スミア耐性、耐光性、耐水性）及び低ストライクスルー（裏抜け）。サーマルインクジェットシステムに配置される場合、インクセットは、さらにコゲーション耐性であるべきで、且つ安定した液滴噴出性能（例えば、長時間にわたり液滴の減速がほとんど又は全く無いこと）を備えているべきである。
【０００４】
インクジェット印刷において、インク液滴の噴出を達成するのに、現在利用可能な基本的方法には、サーマル式と圧電式の二通りがある。サーマルインクジェット印刷では、液滴射出のエネルギーは、電気的に加熱された抵抗素子によって生成されるものであり、この素子がマイクロプロセッサからの電気信号に応答して急速に昇温して蒸気バブルを作り出し、その結果、抵抗素子に連結されたノズルを介してインクを放出する。圧電式インクジェット印刷では、これもマイクロプロセッサによって生成された電気信号に応答するピエゾ電気結晶の振動によってインク液滴が噴出される。インク滴が特定の順序で射出されることにより、英数字、領域充填及びその他のパターンが印刷媒体上に形成される。
【０００５】
【発明が解決しようとする課題】
サーマルインクジェットプリンタにおける顔料インクの大きな欠点の１つは、長時間の印刷中に抵抗体表面上に顔料の膜が形成されることである。この膜の形成は、インクへの熱伝達の定常的且つ連続的な損失となり、結果的に、サーマルインクジェット技術において、ノズルの連続噴射間の液滴速度の減少を意味する、「減速」、即ち、デセルと呼ばれる現象が起こる。これは、液滴の誤射、配置違いあるいは（速度がゼロに等しい）ノズル停止にさえなることがある。一過性の不溶性物質の形成は、噴射抵抗体からインクへの熱伝達に影響して駆動バブル形成が不十分となる原因になることがあり、これがデセルの原因となってしまうが、有機酸の存在がそのような物質の形成を防ぐのに役立つことは理解されよう。
【０００６】
デセルは、インクの耐久性を改善するために添加されるポリマーの低い溶解性がしばしば原因となる。デセルを解決する１つの通常の方法は、ポリマー（例えばアクリレートバインダー）含有の水性インクなど、親水性ポリマー含有のインクを使用することである（例えば特許文献１参照）。しかしながら、そうすることにより、典型的には、インクの耐水性が低下することになる。その他本発明に関連する従来技術としては、以下の文献に開示されるものがある（例えば特許文献２〜４参照）。
【０００７】
【特許文献１】
米国特許第5,180,425号明細書。
【特許文献２】
米国特許第5,626,655号明細書
【特許文献３】
米国特許第5,730,790号明細書
【特許文献４】
米国特許第5,085,698号明細書
【０００８】
前述のように、インク組成物は、一定の特徴を有していなければならない。しかし、１つの特徴を改善することは、しばしば、別の特徴の劣化を招く結果となるため、前述の全ての特徴を備えたインク組成物はほとんど知られていない。
【０００９】
【課題を解決するための手段】
本発明によれば、インクジェット液、インクジェット液セット及びそれらを使用する方法が提供され、この場合、液の１つは、水性ビヒクルと、ポリマー（アクリレートバインダー）含有インクにおけるデセルを軽減することができる成分を含み、そのデセル軽減成分は、加熱による急速な熱分解に耐えることができるものである。
【００１０】
本発明の組成物は、ポリマー含有インクと共に使用されるインクジェット液を作製するのに使用され、より詳細には、液が、芳香族グリコールエーテル、極性溶媒及び長アルキル鎖の界面活性剤などのデセル軽減剤を含む場合のデセルなど、そのようなインク組成物における強化された液滴射出性能を与えるのに使用される。
【発明の実施の形態】
【００１１】
本発明によれば、ポリマーを含むインク組成物において、デセルを軽減させるインク添加剤は３つに分類される。これらの分類には、芳香族グリコールエーテル、極性溶媒及び界面活性剤、特に、長アルキル鎖の界面活性剤が含まれる。
【００１２】
グリコールエーテル
グリコールエーテルは、一般に、水溶性又は水混和性の有機溶媒である。芳香族グリコールエーテルの具体例には、プロピレングリコールフェニルエーテルとエチレングリコールフェニルエーテルが包含される。本発明の特定の実施態様においては、Dowanol PPhグリコールエーテル及びDowanol EPhグリコールエーテルが使用される。Dowanol PPhグリコールエーテルは、緩蒸発性で、極めて疎水性、単にその分子量(152.2g/mol)に基づいて予測される疎水性よりももっと疎水性のグリコールエーテルである。その芳香性の構造のため、Dowanol PPhグリコールエーテルは、ボールペン、フェルトペン、スタンプパッド、及び織物印刷用ペーストにおいてインク溶媒として十分に適する。Dowanol Ephグリコールエーテルも芳香性の、緩蒸発性グリコールエーテルであり、しばしば、印刷インク中の溶媒として使用される。ポリマーを含むインク組成物にグリコールエーテルを添加することは、標準の親水性溶媒と比較して優れたデセル軽減特性を有することが見出された。
【００１３】
極性溶媒
極性溶媒も又、ポリマー含有のインク組成物においてデセル軽減特性を有することが見出されている。本発明による使用可能な極性溶媒の例は、アルキルアルコール、アミド、ケトン及びケトンアルコール、アルキレングリコール、グリセリン、アルキルエーテル及びスルホンである。これらの化合物の１つ又はより多くを使用し得る。カプロラクトン及びジメチルスルホキシドは、前述のインク組成物において特に優れたデセル軽減特性を有することが見出されている。
【００１４】
界面活性剤
界面活性剤は、表面又は界面で吸着される物質であり、それによって表面又は界面の張力を減少させる。石鹸及び洗剤は、水系における界面活性剤の例である。界面活性剤の作用は、非吸着面上への一滴の純水の接触角を測定することによって説明され、この場合、微量の界面活性剤の添加が、その接触角を減じ、一方で界面の面積を増大する。界面活性剤を誤って使用すると、ある基体に対する接着性が低減することになったりプリントの耐水性を低下させることになる。よって、界面活性剤は、その諸特性、調合目的及びそれら目的を効率よく達成するのに要する正確な量に関する知識をもって選択しなければならない。このアプローチは、不十分な性能を生じしかもコスト高となり得る無計画な使用を思い止まらせるものである。
【００１５】
界面活性剤は、紙中への浸透率の増大を助長し、これはエッジ明瞭度を低減する場合もある。さらに、界面活性剤含有インクの添加がプリントヘッドのノズル板上での液溜まり（パドル）の原因となり、液滴噴出特性不良をもたらすことがある。
【００１６】
本発明で使用される適当な界面活性剤は、インク組成物の垂直浸透率を増大するよう印刷媒体の表面エネルギーを変更する。界面活性剤は、しかしながら、適当な親水−親油平衡（HLB）を有さなくてはならない。より高いHLBを有する界面活性剤は、より水溶性である傾向がある。しかし、そのような界面活性剤は又、印刷媒体の表面に沿ったインクのより横に向かった拡散を起こしやすく、従って、より望ましくないブリードを引き起こす。より低いHLB値を有する界面活性剤は、一般に、ほとんど水に溶解しないため、インクの、印刷媒体の表面に沿った横方向での拡散をほとんど起こさない。従って、溶解性をほとんど有さない界面活性剤は、ブリードをほんとんど生じない。
【００１７】
対照的に、インクジェットインク中へのその他の界面活性剤の組み入れによって生ずる表面張力の急激な降下が、プリントヘッドのノズル板上でのパドルを引き起こし、それが液滴噴出特性にマイナスの影響を及ぼすことが知られている。さらに、これらその他の界面活性剤は、エッジ明瞭度に影響を与え得る程度まで、紙中へのインクの浸透率を増大させる。
【００１８】
一般に、界面活性剤は、インクジェット画像の耐水性、ブリード性能及び光学濃度に影響する可能性がある。耐水性は、界面活性剤がアクリレートバインダーなどのポリマーを含有するインク組成物に添加される時に特に問題である。耐水性は、水による希釈あるいは除去に対する印刷の耐性である。耐水性インクは、ウィッキングしたり、フェザリングしたり又は洗い流されたりする傾向が低い。従って、インクジェット印刷において継続される要求は、正当なコストで高品質の耐水性画像を生成することが可能な信頼性のあるプリンタを開発する必要性に帰着する。前出の観点において、一連の望ましい特徴又は特性を得るためには、その他の溶媒同様、界面活性剤を特定の量又は範囲でインク調合物に取り込まなければならないことが解る。
【００１９】
本発明に使用できる適当な界面活性剤は、ノニオン性、アニオン性又はカチン性であってよい。適当なノニオン界面活性剤の例は、ポリオキシエチレンラウリルエーテル及びポリオキシエチレンセチルエーテルなどのポリオキシエチレンアルキルエーテル、ポリオキシエチレンノニルフェニルエーテル及びポリオキシエチレンオクチルフェニルエーテルなどのポリオキシエチレンアルキルフェニルエーテル、モノオレイン酸ソルビタン及びトリステアリン酸ソルビタンなどの脂肪酸ソルビタンエステル、モノステアリン酸グリセリン及びモノオレイン酸グリセリンなどの脂肪酸グリセリンエステル、ポリオキシエチレンアルキルアミン、ポリオキシエチレンアルキルアミド、脂肪酸ポリオキシエチレンエステル、脂肪酸ポリグリセリンエステル、脂肪酸プロピレングリコールエステル、脂肪酸ペンタエリトリトールエステル、アセチレングリコール、アセチレンアルコール及び及びフッ素含有界面活性剤である。適当なアニオン界面活性剤の例は、アルキルスルフォネート、ポリオキシエチレンアルキルエーテルスルフォネート、ポリオキシエチレンアルキルエーテルホスフェート、アルキルベンゼンスルホン酸塩及びアルキルスルホコハク酸塩である。適当なカチオン界面活性剤の例は、塩化ベンザルコニウム及び塩化セチルトリメチルアンモニウムなどの第四級アンモニウム塩である。本発明に従って使用される界面活性剤は、これらの界面活性剤に限定されるものではなく、上述の特許文献に記載されるような、当分野で知られているその他の界面活性剤をさらに包含してもよい。
【００２０】
本発明は、好ましくは、残留電荷を有さない界面活性剤である、ノニオン界面活性剤を包含する。ポリマー含有インクにおけるデセルを低減する適当なノニオン性の長アルキル鎖界面活性剤の例は、オレイルトリエトキシモノジホスフェート(Crodafos N-3 acid)、ポリ（オキシ−１，２−エタンジイル）,α−ウンデシル−ω−ヒドロキシ−,(9CI)(Neodol 1-9)及びSurfynol SE-Fである。
【００２１】
水性ビヒクル
本発明のインクは、水性ビヒクル中で作られ、その中に含有される。水性キャリヤー媒体は、水か又は水と少なくとも１つの水溶性有機溶媒の混合物である。適当な混合物の選択は、所望の表面張力及び粘度、選択された着色剤、インクの乾燥時間及びインクがその上に印刷されることになる材料の種類など、特定用途の要件に依存する。選択し得る代表的な水溶性有機溶媒は、上述の特許文献４に開示されている。一般に、水と、ジエチレングリコールなどの多価アルコールとの混合物は、水性キャリヤー媒体として望ましい。
【００２２】
水と少なくとも１つの水溶性有機溶媒との混合物の場合、水性キャリヤー媒体は、通常約30％〜約95％の水を含む。好ましい組成物は、水性キャリヤー媒体の全重量に対して約60％〜約95％の水を含む。
【００２３】
デセル軽減成分
本発明のインクジェット液は、「デセル軽減成分」を包含することによって、ポリマー含有インクにおけるデセルを低減させる。
【００２４】
デセル軽減成分は、好ましくは、噴射抵抗体の適切な洗浄を可能にするのに十分な量で存在する。好ましくは、デセル軽減成分は、ポリマー含有インクの初期重量に基づいて約0.05〜約３重量％、より好ましくは約0.5〜約2.5重量％、液体中に存在する。
【００２５】
前述のように、前記の湿潤剤の多くがインク組成物に使用されている。しかしながら、これらの湿潤剤の濃度は、一般に３％から10％までの範囲である。低量の湿潤剤がデセル軽減成分を作り出すということは予期されていなかった。これらの低レベル、概して0.05〜約３重量％、より好ましくは約0.5〜約2.5重量％で、デセル低減効果が得られ、且つこれら特定のインクの耐水性特性が維持される。このように、本発明のデセル低減インクを作るのに低レベルのグリコールエーテル、極性溶媒及び界面活性剤が使用できる。あるいは又、本発明のデセル低減溶媒は、そのデセル低減溶媒の全重量％が約0.05〜約３重量％の範囲に維持される限り、改善されたインクを作るのに互いに組み合わせることができる。
【００２６】
以下に、これらに限定されるものではないが、下記例により本発明をさらに説明する。ここでは、部及びパーセントは、注記されない限り重量による。
【実施例】
【００２７】
【表１】
0003917053.tif 000002
【００２８】
好ましくは、インク組成物Ａは、重量濃度で、0.01％〜0.5％のSilwet L-77、0.01％〜１％のSurfynol CT-111、１％〜10％の２−ピロリドン、0.5％〜５％の1,6−ヘキサンジオール、１％〜３％のLEG-1（高分子量を有するエチルオキシ化グリセン誘導体）、１％〜５％の自己分散型ブラック顔料、１％〜５％のアクリレートバインダー（Joncryl 67、S.C. Johnsonから入手可能）、0.01％〜0.2％のProxel GXL、及び組成物の残余を構成する水を含有する。
【００２９】
【表２】
0003917053.tif 000003
【００３０】
インク組成物Ｂは、Dowanol EPhをさらに含む。Dowanol EPhは、インクのデセルを低減するのに役立つエチレングリコールフェニルエーテルである。好ましくは、Dowanol EPhは、約0.05重量％〜約３重量％の濃度で存在する。Silwet L-77、Surfynol CT-111、２−ピロリドン、1,6−ヘキサンジオール、LEG-1、自己分散型ブラック顔料、アクリレートバインダー及びProxel GXLの重量パーセントの範囲は、インク組成物Ａの開示部分で記述したものと同じである。
【００３１】
【表３】
0003917053.tif 000004
【００３２】
インク組成物Ｃは、Dowanol EPhがDowanol PPhで置き換えられる以外は、インク組成物Ｂと同一である。Dowanol PPhは、プロピレングリコールフェニルエーテルである。インク組成物Ｃ中のDowanol PPhの重量パーセントは、好ましくは0.05％〜３％の範囲である。その他の成分は、インク組成物Ａで記載したのと同じ範囲を有する。
【００３３】
【表４】
0003917053.tif 000005
【００３４】
インク組成物Ｄは、インク組成物Ｂ又はＣのグリコールエーテルをカプロラクトンで置き換えたものである。カプロラクトンは、好ましくは0.02重量％〜３重量％、より好ましくは0.05重量％〜３重量％の濃度でインク組成物Ｄ中に存在する。インク組成物におけるその他の成分は、インク組成物Ａで記載したものと同じ範囲を有する。
【００３５】
【表５】
0003917053.tif 000006
【００３６】
インク組成物Ｅは、ジメチルスルホキシド(DMSO)を添加することによりデセルを低減するインク組成物の代表である。DMSOの添加及びそれに続く水中での還元により、インク組成物は、耐水性をそのまま維持しながら優れたデセル軽減成分を有することが見出された。DMSOの重量パーセントは、0.05％〜３％の範囲であってよい。
【００３７】
低レベルの界面活性剤もインクジェットプリンタにおけるデセルを低減することが見出されている。インク組成物Ｆとインク組成物Ｈは、低レベルの界面活性剤を含むインク組成物の代表である。
【００３８】
【表６】
0003917053.tif 000007
【００３９】
Silwet L-77、Surfynol CT-111、２−ピロリドン、1,6−ヘキサンジオール、LEG-1、自己分散型ブラック顔料、アクリレートバインダー及びProxel GXLの重量パーセントは、全て、インク組成物Ａの開示部分で記述したものと同じ範囲である。インク組成物Ｆは又、界面活性剤であるオレイルトリエトキシモノジホスフェートも含む。好ましくは、オレイルトリエトキシモノジホスフェートの重量パーセントは、0.05％〜３％の範囲である。
【００４０】
【表７】
0003917053.tif 000008
【００４１】
インク組成物Ｇは、デセル低減溶媒が何ら添加されていない、その他のインク組成物の代表である。
【００４２】
【表８】
0003917053.tif 000009
【００４３】
インク組成物Ｈは、界面活性剤、ポリ（オキシ−１，２−エタンジイル）,α−ウンデシル−ω−ヒドロキシ−,(9CI)の使用を含む。その重量パーセントは、0.05％〜３％の範囲であってよい。このインク組成物のその他の成分は、インク組成物Ｇと同様の範囲を有する。
【００４４】
表９は、デセル軽減成分及び耐水性に関する、インク組成物Ａ〜Ｅの比較を示している。表９は、さらに、デセル低減溶媒を含まないインク組成物Ａのインク組成物に対してデセル軽減成分を添加することで得られた利益を示している。
【００４５】
【表９】
0003917053.tif 000010
【００４６】
上述のように、デセルは、ペンが数千個の液滴を発射した後の液滴速度の減少パーセントとして定量化されたものである。10％を上回るデセルは許容不可と考えられる。湿潤スマッジは、湿らせたゴムを用いて890ｇ（約２ポンド）のおもりでこすられた１mmのラインの線幅の減少％として特徴付けられる。具体的には、スプリング付き消しゴムを、印刷した線を横切って走らせて湿潤スマッジを測定した。メニスカスがラインに当たると、それはインクを文字通り拭き去るため洗浄効果となり、摩擦効果とはならない。
【００４７】
表10は、インクのデセルと耐水性に関して界面活性剤オレイルトリエトキシモノジホスフェートの効果を標準的なインク組成物Ａと比較して示すものである。表10は、優れたデセル低減効果を示す。
【００４８】
【表１０】
0003917053.tif 000011
【００４９】
表11は、別の界面活性剤ポリ（オキシ−１，２−エタンジイル）,α−ウンデシル−ω−ヒドロキシ−,(9CI)の効果を示す。インク組成物Ｇと比較して、ポリ（オキシ−１，２−エタンジイル）、α−ウンデシル−ω−ヒドロキシ−、(9CI)（インク組成物Ｈ）は、優れたデセル低減能力を示す。
【００５０】
【表１１】
0003917053.tif 000012
【００５１】
オレイルトリエトキシモノジホスフェートと、ポリ（オキシ−１，２−エタンジイル）,α−ウンデシル−ω−ヒドロキシ−,(9CI)は、両方とも、長アルキル鎖の界面活性剤である。表10及び表11に示されるように、これら界面活性剤はデセルを軽減する。
【００５２】
当業者にとって、明らかな性質の種々の変更並びに修正は、本発明の要旨から逸脱することなくなし得ることは、明白であろう。前述の変更並びに修正の全ては、本発明の特許請求の範囲に定められたように本発明の範囲内に帰属するものと考えられる。
【００５３】
以下に、本発明の好ましい実施の態様を要約して示す。
１．  ビヒクルと、着色剤と、グリコールエーテル、極性溶媒、界面活性剤及びそれらの組合せから成る群から選択される、低レベルの溶媒含有インク組成物のための減速軽減成分とを含み、前記インク組成物における前記減速軽減成分の濃度が0.05重量％から３重量％の範囲である、減速及び耐水性が改善されたインクジェットインク組成物。
２．  ポリマー含有のインクにおける減速を改善するためのインク添加剤組成物であって、前記インク添加剤組成物が、
水性ビヒクルと、
インク全体に対しての0.05から３重量％を構成する減速軽減溶媒と、
を含み、前記減速軽減成分は、グリコールエーテル、極性溶媒、界面活性剤及びそれらの組合せから成る群から選択される、インク添加剤組成物。
３．  ポリマー含有のインクジェットインクにおける減速改善方法であって、該方法が、
ポリマー含有インクジェットインクを準備すること、
前記インクジェットインクに減速軽減溶媒を添加すること、
を含み、前記減速軽減溶媒は、グリコールエーテル、極性溶媒、界面活性剤及びそれらの組合せから成る群から選択され、前記インクジェットインクにおける前記減速軽減溶媒の濃度が0.05重量％から３重量％の範囲である、減速改善方法。
４．  前記グリコールエーテルが、プロピレングリコールフェニルエーテル、エチレングリコールフェニルエーテル及びそれらの組合せから成る群から選択される、上記１、２又は３に記載のインク組成物又は方法。
５．  前記極性溶媒が、ジメチルスルホキシド、カプロラクトン及びそれらの組合せから成る群から選択される、上記１、２又は３に記載のインク組成物又は方法。
６．  前記界面活性剤が、ノニオン性、カチオン性又はアニオン性である、上記１、２又は３に記載のインク組成物又は方法。
７．  前記界面活性剤が、長アルキル鎖の界面活性剤である、上記１、２又は３に記載のインク組成物又は方法。
８．  前記長アルキル鎖の界面活性剤が、オレイルトリエトキシモノジホスフェートと、ポリ（オキシ−１，２−エタンジイル）,α−ウンデシル−ω−ヒドロキシ−,(9CI)と、それらの組合せとから成る群から選択される、上記７に記載のインク組成物又は方法。
９．  着色剤をさらに含む、上記２に記載のインク添加剤組成物。
【００５４】
【発明の効果】
本発明によれば、インクジェット液、インクジェット液セット及びそれらを使用する方法が提供され、この場合、液の１つが、水性ビヒクルと、ポリマー含有インクにおけるデセルを軽減することができる成分を含み、そのデセル軽減成分は、加熱による急速な熱分解に耐えることができるものである。